(57)【特許請求の範囲】
【請求項１】
テレビジョン信号とＦＭ信号とからなる第１受信信号を受信する外部接続アンテナを含む第１信号受信部と、ＦＭ信号からなる第２受信信号を受信する内部アンテナを含む第２信号受信部と、前記第１信号受信部の第１受信信号と前記第２信号受信部の第２受信信号とが入力され、それら受信信号のいずれか一方を選択出力する信号選択部と、前記信号選択部で選択した受信信号を増幅する高周波増幅部と、増幅した高周波信号を中間周波信号に変換する周波数変換部と、前記中間周波信号を増幅する中間周波増幅部と、入力される第１乃至第３モードからなる３バンドデータに応じて２つの出力電圧を発生し、その２つの出力電圧の中の１つの出力電圧を前記信号選択部に、他の１つの出力電圧を前記高周波増幅部及び前記中間周波増幅部にそれぞれ供給することによって前記テレビジョン信号または前記ＦＭ信号の受信状態に切替える切替回路とを備え、前記切替回路は、前記第１乃至第３モードからなる３バンドデータに対応して異なったオンオフ状態を示す３個のトランジスタを備え、それらのトランジスタのオンオフ状態によって前記第１乃至第３モード時を示す前記２つの出力電圧を発生するもので、前記第１及び第３モード時に、前記２つの出力電圧の中の１つの出力電圧が供給されると前記信号選択部は前記第１受信信号を選択出力し、前記第２モード時に、前記２つの出力電圧の中の１つの出力電圧が供給されると前記信号選択部は前記第２受信信号を選択出力し、前記第１モード時に、前記２つの出力電圧の中の他の１つの出力電圧が供給されると前記高周波増幅部は前記第１受信信号の中の前記テレビジョン信号を選択出力し、前記第３モード時に、前記２つの出力電圧の中の他の１つの出力電圧が供給されると前記高周波増幅部は前記第１受信信号の中の前記ＦＭ信号を選択出力することを特徴とするコンビネーションチューナ。
【請求項２】
前記切替回路は、バンドデータがベースに供給されるエミッタフォロワ接続の第１トランジスタと、バンドデータがベースに供給されるエミッタフォロワ接続の第２トランジスタと、前記第１トランジスタの出力がベースに、前記第２トランジスタの出力がエミッタにそれぞれ供給される第３トランジスタとからなることを特徴とする請求項１に記載のコンビネーションチューナ。
【請求項３】
テレビジョン信号と受信電界強度が比較的小さいＦＭ信号とからなる第１受信信号を受信する外部接続アンテナを含む第１信号受信部と、受信電界強度が比較的大きいＦＭ信号からなる第２受信信号を受信する内部アンテナを含む第２信号受信部と、前記第１信号受信部の第１受信信号と前記第２信号受信部の第２受信信号とが入力され、それら受信信号のいずれか一方を選択出力する信号選択部と、前記信号選択部で選択した受信信号を増幅するとともに供給される自動利得制御電圧によって増幅利得が調整される高周波増幅部と、増幅した高周波信号を中間周波信号に変換する周波数変換部と、前記中間周波信号を増幅する中間周波増幅部と、入力される第１乃至第３モードからなる３バンドデータに応じて２つの出力電圧を発生し、その２つの出力電圧の中の１つの出力電圧を前記信号選択部に、他の１つの出力電圧を前記高周波増幅部及び前記中間周波増幅部にそれぞれ供給することによって前記テレビジョン信号または前記ＦＭ信号の受信状態を切替える切替回路とを備え、前記切替回路は、前記第１乃至第３モードからなる３バンドデータに対応して異なったオンオフ状態を示す３個のトランジスタを備え、それらのトランジスタのオンオフ状態によって前記第１乃至第３モード時を示す前記２つの出力電圧を発生するとともに、前記第２モード時に限り前記高周波増幅部に供給される前記自動利得制御電圧を分圧するもので、前記第１及び第３モード時に、前記２つの出力電圧の中の１つの出力電圧が供給されると前記信号選択部は前記第１受信信号を選択出力し、前記第２モード時に、前記２つの出力電圧の中の１つの出力電圧が供給されると前記信号選択部は前記第２受信信号を選択出力し、前記第１モード時に、前記２つの出力電圧の中の他の１つの出力電圧が供給されると前記高周波増幅部は前記第１受信信号の中の前記テレビジョン信号を選択出力し、前記第３モード時に、前記２つの出力電圧の中の他の１つの出力電圧が供給されると前記高周波増幅部は前記第１受信信号の中の前記ＦＭ信号を選択出力し、前記第２モード時に、前記高周波増幅部は供給される自動利得制御電圧が分圧されてその増幅利得が通常利得よりも低下することを特徴とすることを特徴とするコンビネーションチューナ。
【請求項４】
前記切替回路は、バンドデータがベースに供給されるエミッタフォロワ接続の第１トランジスタと、バンドデータがベースに、コレクタに分圧抵抗を通して前記自動利得制御電圧がそれぞれ供給されるエミッタ接地第２トランジスタと、前記自動利得制御電圧の分圧電圧がベースに、前記第１トランジスタの出力がエミッタにそれぞれ供給される第３トランジスタとからなることを特徴とする請求項３に記載のコンビネーションチューナ。
【請求項５】
前記高周波増幅部はＦＭトラップ回路を備え、前記中間周波増幅部は中間周波帯域切替回路と利得設定回路とを備え、前記第１モード時に、前記２つの出力電圧の中の他の１つの出力電圧が前記ＦＭトラップ回路に供給されると、前記ＦＭトラップ回路が動作状態に設定されて前記高周波増幅部は前記第１の受信信号の中のテレビジョン信号を選択出力し、前記２つの出力電圧の中の他の１つの出力電圧が前記中間周波帯域切替回路及び前記利得設定回路に供給されると、前記中間周波帯域切替回路はテレビジョン信号の中間周波帯域に、前記利得設定回路は信号利得が通常利得にそれぞれ設定され、前記第３モード時に、前記２つの出力電圧の中の他の１つの出力電圧が前記ＦＭトラップ回路に供給されると、前記ＦＭトラップ回路が非動作状態に設定されて前記高周波増幅部は前記第１の受信信号の中のＦＭ信号を選択出力し、前記２つの出力電圧の中の他の１つの出力電圧が前記中間周波帯域切替回路及び前記利得設定回路に供給されると、前記中間周波帯域切替回路はＦＭ信号の中間周波帯域に、前記利得設定回路は信号利得が通常利得よりも低い利得にそれぞれ設定されることを特徴とする請求項１乃至４のいずれか１項に記載のコンビネーションチューナ。
【発明の詳細な説明】
【０００１】
【発明の属する技術分野】
本発明は、テレビジョン信号とＦＭ信号とを選択的に受信できるコンビネーションチューナに係り、特に、ＦＭ信号を受信する際に、受信レベルに対応して好適なＦＭ信号の受信を行うことができるコンビネーションチューナに関する。
【０００２】
【従来の技術】
一般に、コンビネーションチューナは、テレビジョン信号とＦＭ信号とを選択的に受信することができるチューナであって、テレビジョン信号を受信するテレビジョンアンテナとＦＭ信号を受信するＦＭアンテナとを接続して使用するものである。
【０００３】
ここで、図３は、かかる既知のコンビネーションチューナの一例を示すもので、その要部構成を一部ブロック図で表した回路図である。
【０００４】
図３に示されるように、コンビネーションチューナは、外部接続アンテナ３１と、内部アンテナ３２と、ローパスフィルタ（ＬＰＦ）３３と、バンドパスフィルタ（ＢＰＦ）３４と、テレビジョン信号選択段３５と、ＦＭ信号選択段３６と、ＦＭトラップ（ＦＭ  ＴＲ）３７と、高周波増幅段（ＲＦ  ＡＭＰ）３８と、高周波同調段３９と、周波数ミキサ段（ＭＩＸ）４０と、局部発振器（Ｌ  ＯＳＣ）４１と、中間周波帯域切替段（ＩＦ  ＳＷ）４２と、中間周波増幅段（ＩＦＡＭＰ）４３と、利得設定段４４と、切替回路４５と、中間周波信号出力端子４６と、自動利得制御（ＡＧＣ）電圧供給端子４７と、バンドデータ供給端子４８と、電源端子４９とを備えている。ここで、外部接続アンテナ３１は、高感度アンテナであって、コネクタ（図示なし）を通してコンビネーションチューナに接続される。また、内部アンテナ３２は、低感度アンテナであって、ピン（図示なし）を通してコンビネーションチューナに接続される。また、それ以外の回路素子は、図３に図示されるように接続されている。
【０００５】
この場合、テレビジョン信号選択段３５は、３個のダイオード３５1 、３５2 、３５3 と、２個のコンデンサ３５4 、３５5 と、６個の抵抗３５6 、３５7 、３５8 、３５9 、３５10、３５11とを備え、これらの回路素子は、図３に図示されるように接続されている。ＦＭ信号選択段３６は、１個のトランジスタ３６1 と、３個のダイオード３６2 、３６3 、３６4 と、２個のコンデンサ３６5 、３６6 と、７個の抵抗３６7 、３６8 、３６9 、３６10、３６11、３６12、３６13とを備え、これらの回路素子は、図３に図示されるように接続されている。また、切替回路４５は、１個のトランジスタ４５1 と、１個の抵抗４５2 とを備え、これらの回路素子は、図３に図示されるように接続されている。
【０００６】
前記構成によるコンビネーションチューナの動作は、次の通りである。
【０００７】
外部接続アンテナ３１で受信されたテレビジョン信号は、ローパスフィルタ３３により不要成分が除去され、テレビジョン信号選択段３５の入力に供給される。同様に、内部アンテナ３２で受信されたＦＭ信号は、バンドパスフィルタ３４により不要成分が除去され、ＦＭ信号選択段３６の入力に供給される。このとき、コンビネーションチューナがテレビジョン信号の選択出力を行う場合、外部の制御装置（図示なし）から接地電圧のデータ信号がバンドデータ供給端子４８に供給され、一方、ＦＭ信号の選択出力を行う場合、外部の制御装置から電源電圧のデータ信号がバンドデータ供給端子４８に供給される。
【０００８】
テレビジョン信号の選択出力を行う場合、バンドデータ供給端子４８に供給された接地電圧のデータ信号が切替回路４５に供給され、エミッタフォロワ接続トランジスタ４５1 をオフにして切替回路４５の出力を接地電圧にする。切替回路４５から出力された接地電圧は、ＦＭ信号選択段３６に供給されるとともに、ＦＭトラップ３７、中間周波帯域切替段４２、利得設定段４４の各制御入力に供給される。
【０００９】
ＦＭ信号選択段３６は、接地電圧が入力されると、トランジスタ３６1 のベースが接地電圧になり、トランジスタ３６1 がオフになる。トランジスタ３６1 のオフによって、ダイオード３６2 、３６3 はカソードに正電圧、アノードに接地電圧がそれぞれ供給されて逆バイアス状態になり、ダイオード３６2 、３６3 がオフになる。このため、ＦＭ信号選択段３６の入力に供給されたＦＭ信号は、オフしたダイオード３６2 、３６3 により阻止され、出力に伝達されない。
【００１０】
また、テレビジョン信号選択段３５は、トランジスタ３６1 のオフによって、ダイオード３５1 、３５2 のアノードに正電圧が、カソードに接地電圧がそれぞれ供給されて順バイアスになり、同時に、ダイオード３５3 のアノードに接地電圧がカソードに正電圧がそれぞれ供給されて逆バイアスになり、ダイオード３５1 、３５2 がオンになり、ダイオード３５3 がオフになる。このため、テレビジョン信号選択段３５の入力に供給されたテレビジョン信号は、オンになったダイオード３５1 、３５2 を通して出力に伝達され、次続のＦＭトラップ３７に供給される。
【００１１】
ＦＭトラップ３７は、制御入力に接地電圧が入力されると、ＦＭ周波数帯域の信号をトラップするＦＭトラップが働き、テレビジョン信号中に含まれるＦＭ信号成分を除去する。また、中間周波帯域切替段４２は、制御入力に接地電圧が入力されると、中間周波帯域をテレビジョン信号の中間周波帯域である６ＭＨｚに切替える。さらに、利得設定段４４は、制御入力に接地電圧が入力されると、利得設定段４４の信号利得を大きく設定する。
【００１２】
このとき、テレビジョン信号は、テレビジョン信号選択段３５から出力された後、ＦＭトラップ３７でＦＭ信号成分が除去され、高周波増幅段３８で所定レベルに増幅され、高周波同調段３９で所要チャネル信号が選択され、周波数ミキサ段４０で局部発振器４１が出力する局部発振信号と混合され、中間周波信号に変換される。周波数ミキサ段４０の混合出力は、中間周波帯域切替段４２で６ＭＨｚの中間周波信号が選択され、得られた中間周波信号は、中間周波増幅段４３で所定レベルに増幅され、利得設定段４４で大きな信号利得で増幅され、中間周波信号出力端子４６に供給される。
【００１３】
また、テレビジョン信号の選択出力時には、テレビジョン信号の受信レベルに対応した自動利得制御電圧が自動利得制御電圧供給端子４９に印加され、その自動利得制御電圧により高周波増幅段３８の利得が自動制御される。
【００１４】
次に、ＦＭ信号の選択出力を行う場合、バンドデータ供給端子４８に供給された電源電圧のデータ信号が切替回路４５に供給され、エミッタフォロワ接続トランジスタ４５1 をオンにして切替回路４５の出力を電源電圧にする。切替回路４５から出力された電源電圧は、前の場合と同様に、ＦＭ信号選択段３６に供給されるとともに、ＦＭトラップ３７、中間周波帯域切替段４２、利得設定段４４の各制御入力に供給される。
【００１５】
ＦＭ信号選択段３６は、電源電圧が入力されると、トランジスタ３６1 のベースが電源電圧になり、トランジスタ３６1 がオンになる。トランジスタ３６1 のオンで、ダイオード３６2 、３６3 はカソードに接地電圧、アノードに正電圧がそれぞれ供給されて順バイアスになり、ダイオード３６2 、３６3 がオンになり、同時に、ダイオード３６4 はカソードに正電圧、アノードに接地電圧がそれぞれ供給されて逆バイアスになる。このため、ＦＭ信号選択段３６の入力に供給されたＦＭ信号は、オンしたダイオード３６2 、３６3 を通して出力に伝達され、次続のＦＭトラップ３７に供給される。
【００１６】
また、テレビジョン信号選択段３５は、トランジスタ３６1 のオンで、ダイオード３５1 、３５2 のアノードに接地電圧が、カソードに正電圧がそれぞれ供給されて逆バイアスになり、ダイオード３５1 、３５2 がオフになる。このため、テレビジョン信号選択段３５の入力に供給されたテレビジョン信号は、オフしたダイオード３５1 、３５2 により阻止され、出力に伝達されない。
【００１７】
ＦＭトラップ３７は、制御入力に電源電圧が入力されると、ＦＭ周波数帯域の信号をトラップするＦＭトラップを不動作にする。また、中間周波帯域切替段４２は、制御入力に電源電圧が入力されると、中間周波帯域をＦＭ信号の中間周波帯域である１．２ＭＨｚに切替える。さらに、利得設定段４４は、制御入力に電源電圧が入力されると、利得設定段４４の信号利得を小さく設定する。
【００１８】
また、ＦＭ信号選択出力時には、自動利得制御電圧供給端子４９に最大利得設定電圧が供給され、高周波増幅段３８の利得が最大利得に制御される。
【００１９】
このとき、ＦＭ信号は、ＦＭ信号選択段３６から出力された後、ＦＭトラップ３７でトラップされずに伝送され、高周波増幅段３８で所定レベルに増幅され、高周波同調段３９で所要周波数信号が選択され、周波数ミキサ段４０で局部発振器４１が出力する局部発振信号と混合され、中間周波信号に変換される。周波数ミキサ段４０の混合出力は、中間周波帯域切替段４２で１．２ＭＨｚの中間周波信号が選択され、得られた中間周波信号は、中間周波増幅段４３で所定レベルに増幅され、利得設定段４４で小さな信号利得で増幅され、中間周波信号出力端子４６に供給される。
【００２０】
このように、前記既知のコンビネーションチューナは、バンドデータ供給端子４８に接地電圧のデータ信号または電源電圧のデータ信号を供給することによって、受信したテレビジョン信号または受信したＦＭ信号を選択出力することができるものである。
【００２１】
【発明が解決しようとする課題】
前記既知のコンビネーションチューナは、バンドデータ供給端子４８に供給されるデータ信号の電圧極性を変化させることにより、受信したテレビジョン信号または受信したＦＭ信号を選択出力することができるものであるが、ＦＭ信号を受信する際に、低感度アンテナである内部アンテナ３２によって受信しているので、内部アンテナ３２で受信するＦＭ信号の電界強度によってはその受信ＦＭ信号レベルが大きく低下することがある。そして、受信ＦＭ信号レベルが大幅に低下しているときに、ＦＭ信号の選択出力を行った場合には、選択したＦＭ信号を良好な状態で再生することができないことになる。
【００２２】
本発明は、このような技術的背景に鑑みてなされたもので、その目的は、受信するＦＭ信号の電界強度に応じてＦＭ信号を受信するアンテナを選択し、常時良好な状態でＦＭ信号の再生することを可能にしたコンビネーションチューナを提供することにある。
【００２３】
【課題を解決するための手段】
前記目的を達成するために、本発明によるコンビネーションチューナは、テレビジョン信号とＦＭ信号とからなる第１受信信号を受信する外部接続アンテナを含む第１信号受信部と、ＦＭ信号からなる第２受信信号を受信する内部アンテナを含む第２信号受信部と、第１信号受信部の第１受信信号と第２信号受信部の第２受信信号とが入力され、それら受信信号のいずれか一方を選択出力する信号選択部と、信号選択部で選択した受信信号を増幅する高周波増幅部と、増幅した高周波信号を中間周波信号に変換する周波数変換部と、中間周波信号を増幅する中間周波増幅部と、入力される第１乃至第３モードからなる３バンドデータに応じて２つの出力電圧を発生し、その２つの出力電圧の中の１つの出力電圧を信号選択部に、他の１つの出力電圧を高周波増幅部及び中間周波増幅部にそれぞれ供給することによってテレビジョン信号またはＦＭ信号の受信状態に切替える切替回路とを備え、切替回路は、第１乃至第３モードからなる３バンドデータに対応して異なったオンオフ状態を示す３個のトランジスタを備え、それらのトランジスタのオンオフ状態によって第１乃至第３モード時を示す２つの出力電圧を発生するもので、第１及び第３モード時に、２つの出力電圧の中の１つの出力電圧が供給されると信号選択部は第１受信信号を選択出力し、第２モード時に、２つの出力電圧の中の１つの出力電圧が供給されると信号選択部は第２受信信号を選択出力し、第１モード時に、２つの出力電圧の中の他の１つの出力電圧が供給されると高周波増幅部は第１受信信号の中のテレビジョン信号を選択出力し、第３モード時に、２つの出力電圧の中の他の１つの出力電圧が供給されると高周波増幅部は第１受信信号の中のＦＭ信号を選択出力する第１の手段を備える。
【００２４】
前記第１の手段によれば、切替回路を３個のトランジスタによって構成し、バンドデータの３つのモード状態に応じて、外部接続アンテナによって受信した第１信号受信部からのテレビジョン信号の選択出力、内部アンテナによって受信した第２信号受信部からのＦＭ信号の選択出力、外部接続アンテナによって受信した第１信号受信部からのＦＭ信号の選択出力のいずれかを選択するように３個のトランジスタを選択的にオンオフさせるようにしたので、受信すべきＦＭ信号の電界強度が弱いとき、高感度アンテナである外部接続アンテナによってＦＭ信号を受信することができるので、受信したＦＭ信号レベルが極端に小さくなることがなく、常時、良好な状態でＦＭ信号を再生することができる。
【００２５】
この場合、前記第１の手段において、切替回路を、バンドデータがベースに供給されるエミッタフォロワ接続の第１トランジスタと、バンドデータがベースに供給されるエミッタフォロワ接続の第２トランジスタと、前記第１トランジスタの出力がベースに、前記第２トランジスタの出力がエミッタにそれぞれ供給される第３トランジスタとによって構成すれば、切替回路を比較的簡単にすることができるので好適である。
【００２６】
また、前記目的を達成するために、本発明によるコンビネーションチューナは、テレビジョン信号と受信電界強度が比較的小さいＦＭ信号とからなる第１受信信号を受信する外部接続アンテナを含む第１信号受信部と、受信電界強度が比較的大きいＦＭ信号からなる第２受信信号を受信する内部アンテナを含む第２信号受信部と、第１信号受信部の第１受信信号と第２信号受信部の第２受信信号とが入力され、それら受信信号のいずれか一方を選択出力する信号選択部と、信号選択部で選択した受信信号を増幅するとともに供給される自動利得制御電圧によって増幅利得が調整される高周波増幅部と、増幅した高周波信号を中間周波信号に変換する周波数変換部と、中間周波信号を増幅する中間周波増幅部と、入力される第１乃至第３モードからなる３バンドデータに応じて２つの出力電圧を発生し、その２つの出力電圧の中の１つの出力電圧を信号選択部に、他の１つの出力電圧を高周波増幅部及び中間周波増幅部にそれぞれ供給することによって前記テレビジョン信号またはＦＭ信号の受信状態を切替える切替回路とを備え、切替回路は、第１乃至第３モードからなる３バンドデータに対応して異なったオンオフ状態を示す３個のトランジスタを備え、それらのトランジスタのオンオフ状態によって第１乃至第３モード時を示す２つの出力電圧を発生するとともに、第２モード時に限り高周波増幅部に供給される自動利得制御電圧を分圧するもので、第１及び第３モード時に、２つの出力電圧の中の１つの出力電圧が供給されると信号選択部は第１受信信号を選択出力し、第２モード時に、２つの出力電圧の中の１つの出力電圧が供給されると信号選択部は第２受信信号を選択出力し、第１モード時に、２つの出力電圧の中の他の１つの出力電圧が供給されると高周波増幅部は第１受信信号の中のテレビジョン信号を選択出力し、第３モード時に、２つの出力電圧の中の他の１つの出力電圧が供給されると高周波増幅部は第１受信信号の中のＦＭ信号を選択出力し、第２モード時に、高周波増幅部は供給される自動利得制御電圧が分圧されてその増幅利得が通常利得よりも低下する第２の手段を備える。
【００２７】
前記第２の手段によれば、切替回路を３個のトランジスタによって構成し、バンドデータの３つのモード状態に応じて、外部接続アンテナによって受信した第１信号受信部からのテレビジョン信号の選択出力、内部アンテナによって受信した第２信号受信部からのＦＭ信号の選択出力、外部接続アンテナによって受信した第１信号受信部からのＦＭ信号の選択出力のいずれかを選択するとともに、内部アンテナによって受信した第２信号受信部からのＦＭ信号の選択出力時に高周波選択増幅部に供給される自動利得制御電圧を減衰させ、高周波選択増幅部の利得を若干低下させるように３個のトランジスタを選択的にオンオフするようにしたので、受信すべきＦＭ信号の電界強度が弱いとき、高感度アンテナである外部接続アンテナによってＦＭ信号を受信することができるので、受信したＦＭ信号レベルが極端に小さくなることがなく、常時、良好な状態でＦＭ信号を再生することができる。
【００２８】
この場合、前記第２の手段において、切替回路を、バンドデータがベースに供給されるエミッタフォロワ接続の第１トランジスタと、バンドデータがベースに、コレクタに分圧抵抗を通して前記利得制御電圧がそれぞれ供給されるエミッタ接地第２トランジスタと、前記利得制御電圧の分圧電圧がベースに、前記第１トランジスタの出力がエミッタにそれぞれ供給される第３トランジスタとによって構成すれば、切替回路を比較的簡単にすることができるので好適である。
【００２９】
【発明の実施の形態】
以下、本発明の実施の形態を図面を参照して説明する。
【００３０】
図１は、本発明によるコンビネーションチューナの第１の実施の形態を示すもので、その要部構成を一部ブロック図で表した回路図である。
【００３１】
図１に示されるように、このコンビネーションチューナは、外部接続アンテナ１と、内部アンテナ２と、ローパスフィルタ（ＬＰＦ）３と、バンドパスフィルタ（ＢＰＦ）４と、第１信号選択段５と、第２信号選択段６と、ＦＭトラップ（ＦＭ  ＴＲ）７と、高周波増幅段（ＲＦ  ＡＭＰ）８と、高周波同調段９と、周波数ミキサ段（ＭＩＸ）１０と、局部発振器（Ｌ  ＯＳＣ）１１と、中間周波帯域切替段（ＩＦ  ＳＷ）１２と、中間周波増幅段（ＩＦ  ＡＭＰ）１３と、利得設定段１４と、切替回路１５と、中間周波信号出力端子１６と、自動利得制御（ＡＧＣ）電圧供給端子１７と、対のバンドデータ供給端子１８1 、１８2 と、電源端子１９とを備えている。そして、外部接続アンテナ１とローパスフィルタ３は特許請求の範囲に記載した第１信号受信部を構成しており、内部アンテナ２とバンドパスフィルタ４は特許請求の範囲に記載した第２信号受信部を構成している。第１信号選択段５と第２信号選択段６は特許請求の範囲に記載した信号選択部を構成している。また、ＦＭトラップ７と高周波増幅段８と高周波同調段９は特許請求の範囲に記載した高周波増幅部を構成しており、周波数ミキサ段１０と局部発振器１１は特許請求の範囲に記載した周波数変換部を構成しており、中間周波帯域切替段１２と中間周波増幅段１３と利得設定段１４は特許請求の範囲に記載した中間周波増幅部を構成している。
【００３２】
この場合、第１信号選択段５は、図３に図示されたテレビジョン信号選択段３５と同じ構成のもので、３個のダイオード５1 、５2 、５3 と、２個のコンデンサ５4 、５5 と、６個の抵抗５6 、５7 、５8 、５9 、５10、５11とを備え、これらの回路素子は、図１に図示されるように接続されている。第２信号選択段６は、同じく図３に図示されたＦＭ信号選択段６と同じ構成のもので、１個のトランジスタ６1 と、３個のダイオード６2 、６3 、６4 と、２個のコンデンサ６5 、６6 と、７個の抵抗６7 、６8 、６9 、６10、６11、６12、６13とを備え、これらの回路素子は、図１に図示のように接続されている。
【００３３】
これに対し、切替回路１５は、図３に図示された切替回路４５と異なる構成のもので、３個のトランジスタ１５1 、１５2 、１５3 と、２個の抵抗１５4 、１５5 とを備え、これらの回路素子は図１に図示のように接続されている。
【００３４】
さらに、対のバンドデータ供給端子１８1 、１８2 には、コンビネーションチューナの動作モードを、外部接続アンテナ１を用いたテレビジョンモード（第１モード）、内部アンテナ２を用いたＦＭモード（第２モード）、外部接続アンテナ１を用いたＦＭモード（第３モード）の３つのモードのいずれかに設定するバンドデータが外部の制御装置（図示なし）から供給されるもので、第１モードのとき、端子１８1 に接地電圧に等しいコード０、端子１８2 に同電圧のコード０が供給され、第２モードのとき、端子１８1 に電源電圧に等しいコード１、端子１８2 に接地電圧のコード０が供給され、第３モードのとき、端子１８1 に電源電圧に等しいコード１、端子１８2 に同電圧のコード１が供給される。
【００３５】
そして、この実施の形態においても、外部接続アンテナ１は、高感度アンテナであって、コネクタ（図示なし）を通してコンビネーションチューナに接続される。また、内部アンテナ２は、低感度アンテナであって、ピン（図示なし）を通してコンビネーションチューナに接続される。ローパスフィルタ３は、入力が外部接続アンテナ１に、出力がテレビジョン信号選択段５の入力にそれぞれ接続され、バンドパスフィルタ４は、入力が内部アンテナ２に、出力がＦＭ信号選択段６の入力にそれぞれ接続される。ＦＭトラップ７は、入力がテレビジョン信号選択段５及びＦＭ信号選択段６の出力に、出力が高周波増幅段８の入力にそれぞれ接続される。高周波増幅段８は、出力が高周波同調段９の入力に接続される。周波数ミキサ段１０は、第１入力が高周波同調段９の出力に、第２入力が局部発振器１１の出力に、出力が中間周波帯域切替段１２の入力にそれぞれ接続される。中間周波増幅段１３は、入力が中間周波帯域切替段１２の出力に、出力が利得設定段１４の入力にそれぞれ接続される。利得設定段１４は、出力が中間周波信号出力端子１６に接続される。切替回路１５は、入力がバンドデータ供給端子１８に接続され、出力がＦＭ信号選択段６の制御入力、ＦＭトラップ７の制御入力、中間周波帯域切替段１２の制御入力、利得設定段１４の制御入力にそれぞれ接続される。自動利得制御電圧供給端子１７は、バッファ抵抗（記号なし）を通して高周波増幅段８の制御入力に接続される。
【００３６】
前記構成によるこの実施の形態のコンビネーションチューナは、次のように動作する。
【００３７】
外部接続アンテナ１は、テレビジョン信号及びＦＭ信号を受信するもので、受信されたテレビジョン信号及びＦＭ信号は、ローパスフィルタ３により不要成分が除去され、第１信号選択段５の入力に供給される。また、内部アンテナ２は、ＦＭ信号を受信するもので、受信されたＦＭ信号は、バンドパスフィルタ４により不要成分が除去され、第２信号選択段６の入力に供給される。
【００３８】
いま、テレビジョン信号の選択出力を行う場合には、対のバンドデータ供給端子１８1 、１８2 に第１モードのコード、すなわち、端子１８1 にコード０、端子１８2 にコード０が供給され、これらの２つのコード０、０が切替回路１５に供給される。切替回路１５は、２つのコード０、０が供給されると、エミッタフォロワ接続トランジスタ１５1 及びエミッタフォロワ接続トランジスタ１５2 が同時にオフになり、トランジスタ１５3 も同じようにオフになって、切替回路１５の２つの出力がともに接地電圧になる。切替回路１５から出力された接地電圧は、第２信号選択段６に供給されるとともに、ＦＭトラップ７、中間周波帯域切替段１２、利得設定段１４の各制御入力に供給される。
【００３９】
第２信号選択段６は、接地電圧が入力されると、トランジスタ６1 がオフになり、トランジスタ６1 のオフによって、ダイオード６2 、６3 はカソードに正電圧、アノードに接地電圧がそれぞれ供給されて逆バイアスになり、ダイオード６2 、６3 がオフになる。このため、第２信号選択段６の入力に供給されたＦＭ信号は、オフしたダイオード６2 、６3 により阻止され、出力に伝達されない。
【００４０】
また、第１信号選択段５は、トランジスタ６1 のオフによって、ダイオード５1 、５2 のアノードに正電圧が、カソードに接地電圧がそれぞれ供給されて順バイアスになり、同時に、ダイオード５3 のアノードに接地電圧がカソードに正電圧がそれぞれ供給されて逆バイアスになり、ダイオード５1 、５2 がオン、ダイオード５3 がオフになる。このため、第１信号選択段５の入力に供給されたテレビジョン信号及びＦＭ信号は、オンになったダイオード５1 、５2 を通して出力に伝達され、次続のＦＭトラップ７に供給される。
【００４１】
ＦＭトラップ７は、制御入力に接地電圧が入力されると、ＦＭ周波数帯域の信号をトラップするＦＭトラップが動作するようになり、第１信号選択段５から供給されたテレビジョン信号及びＦＭ信号の中のＦＭ信号成分を除去する。また、中間周波帯域切替段１２は、制御入力に接地電圧が入力されると、中間周波帯域をテレビジョン信号の中間周波帯域である６ＭＨｚに切替える。さらに、利得設定段１４は、制御入力に接地電圧が入力されると、利得設定段１４の信号利得を大きく設定する。
【００４２】
第１信号選択段５から出力されたテレビジョン信号及びＦＭ信号は、ＦＭトラップ７でＦＭ信号成分が除去されてテレビジョン信号だけが抽出される。抽出されたテレビジョン信号は、高周波増幅段８で所定レベルに増幅され、高周波同調段９で所要チャネル信号が選択され、周波数ミキサ段１０で局部発振器１１が出力する局部発振信号と混合されて中間周波信号に変換される。周波数ミキサ段１０の混合出力は、中間周波帯域切替段１２で６ＭＨｚの中間周波信号が選択され、得られた中間周波信号は、中間周波増幅段１３で所定レベルに増幅され、利得設定段１４で大きな信号利得で増幅された後、中間周波信号出力端子１６に供給される。
【００４３】
このテレビジョン信号の選択出力時には、テレビジョン信号の受信レベルに対応した自動利得制御電圧、例えば４．０乃至０．５Ｖの自動利得制御電圧が自動利得制御電圧供給端子１７に印加され、その自動利得制御電圧の印加により高周波増幅段８の利得は、例えば、０乃至−５０ｄＢの範囲内で自動制御される。
【００４４】
次に、ＦＭ信号の選択出力を行う場合には、ＦＭ信号の受信電界強度が比較的大きく、例えば受信電界強度が９０ｄＢμを超えている場合と、同受信電界強度が比較的小さく、例えば受信電界強度が９０ｄＢμに満たない場合とで、このコンビネーションチューナの動作モードが異なるもので、前者の場合は第２モードになり、後者の場合は第３モードになる。
【００４５】
ここで、ＦＭ信号の受信電界強度が９０ｄＢμを超えている第２モードの場合には、対のバンドデータ供給端子１８1 、１８2 に第２モードのコード、すなわち、端子１８1 にコード１、端子１８2 にコード０が供給され、これらの２つのコード１、０が切替回路１５に供給される。切替回路１５は、２つのコード１、０が供給されると、エミッタフォロワ接続トランジスタ１５1 がオン、エミッタフォロワ接続トランジスタ１５2 がオフになり、トランジスタ１５1 のオンによってトランジスタ１５3 もオンになり、切替回路１５の２つの出力がともに電源電圧になる。切替回路１５から出力された電源電圧は、第２信号選択段６に供給されるとともに、ＦＭトラップ７、中間周波帯域切替段１２、利得設定段１４の各制御入力に供給される。
【００４６】
第２信号選択段６は、電源電圧が入力されると、トランジスタ６1 がオンになる。トランジスタ６1 のオンにより、ダイオード６2 、６3 はカソードに接地電圧、アノードに正電圧がそれぞれ供給されて順バイアスになり、ダイオード６2 、６3 がオンになり、同時に、ダイオード６4 はカソードに正電圧、アノードに接地電圧がそれぞれ供給されて逆バイアスになる。このため、第２信号選択段６の入力に供給されたＦＭ信号は、オンしたダイオード６2 、６3 を通して出力に伝達され、次続のＦＭトラップ７に供給される。
【００４７】
このとき、第１信号選択段５は、トランジスタ６1 のオンにより、ダイオード５1 、５2 のアノードに接地電圧が、カソードに正電圧がそれぞれ供給されて逆バイアスになり、ダイオード５1 、５2 がオフになる。このため、第１信号選択段５の入力に供給されたテレビジョン信号及びＦＭ信号は、オフしたダイオード５1 、５2 により阻止され、出力に伝達されない。
【００４８】
ＦＭトラップ７は、制御入力に電源電圧が入力されると、ＦＭ周波数帯域の信号をトラップするＦＭトラップが非動作になる。また、中間周波帯域切替段１２は、制御入力に電源電圧が入力されると、中間周波帯域をＦＭ信号の中間周波帯域である１．２ＭＨｚに切替える。さらに、利得設定段１４は、制御入力に電源電圧が入力されると、利得設定段１４の信号利得を小さく設定する。
【００４９】
また、この第２のモードはＦＭ信号の選択出力時になるので、自動利得制御電圧供給端子１７に最大利得設定電圧、例えば４Ｖが供給され、高周波増幅段８の利得が最大利得、例えば０ｄＢに制御される。
【００５０】
このとき、第２信号選択段６から出力されたＦＭ信号は、ＦＭトラップ７でトラップされずにそのまま伝送され、高周波増幅段８で最大利得の増幅が行われ、高周波同調段９で所要周波数信号が選択され、周波数ミキサ段１０で局部発振器１１が出力する局部発振信号と混合されて中間周波信号に変換される。周波数ミキサ段１０の混合出力は、中間周波帯域切替段１２で１．２ＭＨｚの中間周波信号が選択され、得られた中間周波信号は、中間周波増幅段１３で所定レベルに増幅され、利得設定段１４で小さな信号利得で増幅され、中間周波信号出力端子１６に供給される。
【００５１】
一方、ＦＭ信号の受信電界強度が９０ｄＢμに満たない第３モードの場合には、対のバンドデータ供給端子１８1 、１８2 に第３モードのコード、すなわち、端子１８1 にコード１、端子１８2 にコード１が供給され、これらの２つのコード１、１が切替回路１５に供給される。切替回路１５は、２つのコード１、１が供給されると、エミッタフォロワ接続トランジスタ１５1 及びエミッタフォロワ接続トランジスタ１５2 が同時にオンになり、両トランジスタ１５1 、１５2 のオンによってトランジスタ１５3 がオフになり、切替回路１５の２つの出力の内、第２信号選択段６に供給される出力が接地電圧になり、ＦＭトラップ７、中間周波帯域切替段１２、利得設定段１４の各制御入力に供給される出力が電源電圧になる。
【００５２】
第２信号選択段６は、接地電圧が入力されると、前述の第１モードのときと同様に、ダイオード６2 、６3 がオフ、ダイオード６4 がオンになり、第２信号選択段６の入力に供給されたＦＭ信号は、オフしたダイオード６2 、６3 により阻止され、出力に伝達されない。
【００５３】
このとき、第１信号選択段５は、前述の第１モードのときと同様に、ダイオード５1 、５2 がオン、ダイオード５3 がオフになり、第１信号選択段５の入力に供給されたテレビジョン信号及びＦＭ信号は、オンしたダイオード５1 、５2 を通して出力に伝達され、次続のＦＭトラップ７に供給される。
【００５４】
ＦＭトラップ７は、制御入力に電源電圧が入力されるので、ＦＭ周波数帯域の信号をトラップするＦＭトラップが非動作になる。中間周波帯域切替段１２は、制御入力に電源電圧が入力されるので、中間周波帯域をＦＭ信号の中間周波帯域である１．２ＭＨｚに切替える。利得設定段１４は、制御入力に電源電圧が入力されるので、利得設定段１４の信号利得を小さく設定する。
【００５５】
また、この第３モードもＦＭ信号の選択出力時になっているので、自動利得制御電圧供給端子１７に最大利得設定電圧、例えば４Ｖが供給され、高周波増幅段８の利得が最大利得、例えば０ｄＢに制御される。
【００５６】
第１信号選択段５から出力されたテレビジョン信号及びＦＭ信号は、ＦＭトラップ７に供給されたとき、ＦＭトラップが非動作状態にあるので、ＦＭ信号はそのまま伝送され、テレビジョン信号だけが減衰される。次いで、ＦＭ信号は、高周波増幅段８で最大利得で増幅され、高周波同調段９で所要周波数信号が選択され、周波数ミキサ段１０で局部発振器１１が出力する局部発振信号と混合されて中間周波信号に変換される。周波数ミキサ段１０の混合出力は、中間周波帯域切替段１２で１．２ＭＨｚの中間周波信号が選択され、得られた中間周波信号は、中間周波増幅段１３で所定レベルに増幅され、利得設定段１４で小さな信号利得で増幅され、中間周波信号出力端子１６に供給される。
【００５７】
このように、第１の実施の形態によるコンビネーションチューナは、バンドデータ供給端子１８1 、１８2 に動作を第１乃至第３モードのいずれかに設定するデータ信号を供給することにより、第１モード時にはテレビジョン信号の選択出力、第２モード時には低感度アンテナを用いた高い受信電界強度のＦＭ信号の選択出力、第３モード時には高感度アンテナを用いた低い受信電界強度のＦＭ信号の選択出力を行うことができるので、ＦＭ信号の受信電界強度が低い場合であっても、受信したＦＭ信号レベルが極端に小さくならず、常時、良好な状態でＦＭ信号を再生することができる。
【００５８】
続く、図２は、本発明によるコンビネーションチューナの第２の実施の形態を示すもので、その要部構成を一部ブロック図で表した回路図である。
【００５９】
図２に示されるように、第２の実施の形態は、第１の実施の形態と比べ、切替回路１５、２０の構成が異なっており、また、第２及び第３モードの場合に、対のバンドデータ供給端子１８1 、１８2 に供給されるコードの種別が異なっているだけで、その他の構成部分については異なるところがない。なお、図２において、図１に示された構成要素と同じ構成要素については同じ符号をつけている。
【００６０】
ところで、第２の実施の形態における切替回路２０は、３個のトランジスタ２０1 、２０2 、２０3 と、３個の抵抗２０4 、２０5 、２０6 とを備えており、これらの回路素子は図２に図示のように接続されている。
【００６１】
また、第２の実施の形態におけるコードの種別は、第２モードのとき、端子１８1 にコード１、端子１８2 にコード１が供給され、第３モードのとき、端子１８1 にコード１、端子１８2 にコード０が供給される。
【００６２】
前記構成による第２の実施の形態の動作について説明する。ただし、第２の実施の形態の第１モードのときの動作と前述の第１の実施の形態の第１モードのときの動作とは同じであり、説明が重複するので、第２の実施の形態における第１モードのときの動作については、説明を省略する。
【００６３】
まず、ＦＭ信号の受信電界強度が９０ｄＢμを超える第２モードの場合には、対のバンドデータ供給端子１８1 、１８2 に第２モードのコード、すなわち、端子１８1 にコード１、端子１８2 にコード１が供給され、これらの２つのコード１、１が切替回路２０に供給される。切替回路２０は、２つのコード１、１が供給されると、エミッタフォロワ接続トランジスタ２０1 及びエミッタ接地トランジスタ２０2 が同時にオンになり、トランジスタ２０1 のオンによってトランジスタ２０3 のエミッタに電源電圧、トランジスタ２０2 のオンによってトランジスタ２０3 のベースに抵抗２０5 、２０6 で分圧した利得制御電圧がそれぞれ供給され、トランジスタ２０3 がオンになる。そして、切替回路２０の２つの出力の内、第２信号選択段６に供給される出力が電源電圧になり、ＦＭトラップ７、中間周波帯域切替段１２、利得設定段１４の各制御入力に供給される出力が電源電圧になる。
【００６４】
第２信号選択段６は、電源電圧が入力されると、前述のように、ダイオード６2 、６3 がオン、ダイオード６4 がオフになり、第２信号選択段６の入力に供給されたＦＭ信号は、オンしたダイオード６2 、６3 を通して出力に伝達され、次続のＦＭトラップ７に供給される。
【００６５】
このとき、第１信号選択段５は、前述のように、ダイオード５1 、５2 がオフ、ダイオード５3 がオンになり、第１信号選択段５の入力に供給されたテレビジョン信号及びＦＭ信号は、オフしたダイオード５1 、５2 により阻止され、出力に伝達されない。
【００６６】
ＦＭトラップ７は、制御入力に電源電圧が入力されるので、ＦＭ周波数帯域の信号をトラップするＦＭトラップが非動作になる。中間周波帯域切替段１２は、制御入力に電源電圧が入力されるので、中間周波帯域をＦＭ信号の中間周波帯域である１．２ＭＨｚに切替える。利得設定段１４は、制御入力に電源電圧が入力されるので、利得設定段１４の信号利得を小さく設定する。
【００６７】
また、この第２モード時は、前述のようにＦＭ信号の受信電界強度が比較的大きく、例えば受信電界強度が９０ｄＢを越えているＦＭ信号の選択出力時であるので、自動利得制御電圧供給端子１７に最大利得設定電圧、例えば４Ｖが供給されるが、トランジスタ２０2 のオンによってこの最大利得設定電圧が、自動利得制御電圧供給端子１７に接続された抵抗（図番なし）と２つの抵抗２０6 、２０5 により分圧され、その分圧電圧、例えば２，５Ｖが高周波増幅段８の制御入力に供給されるので、その利得が最大利得よりも低い利得、例えば０ｄＢより１０ｄＢ程度低い−１０ｄＢに制御される。
【００６８】
このとき、第２信号選択段６から出力されたＦＭ信号は、ＦＭトラップ７でトラップされずにそのまま伝送され、高周波増幅段８で最大利得よりも低い利得の増幅が行われ、高周波同調段９で所要周波数信号が選択され、周波数ミキサ段１０で局部発振器１１が出力する局部発振信号と混合されて中間周波信号に変換される。周波数ミキサ段１０の混合出力は、中間周波帯域切替段１２で１．２ＭＨｚの中間周波信号が選択され、得られた中間周波信号は、中間周波増幅段１３で所定レベルに増幅され、利得設定段１４で小さな信号利得で増幅され、中間周波信号出力端子１６に供給される。
【００６９】
次に、ＦＭ信号の受信電界強度が９０ｄＢμに満たない第３モードの動作は、対のバンドデータ供給端子１８1 、１８2 に第３モードのコード、すなわち、端子１８1 にコード１、端子１８2 にコード０が供給され、これらの２つのコード１、０が切替回路２０に供給される。切替回路２０は、２つのコード１、０が供給されると、エミッタフォロワ接続トランジスタ２０1 がオン、エミッタフォロワ接続トランジスタ２０2 がオフになり、トランジスタ２０2 のオフによってトランジスタ２０3 がオフになり、切替回路２０の２つの出力の内、第２信号選択段６に供給される出力が接地電圧になり、ＦＭトラップ７、中間周波帯域切替段１２、利得設定段１４の各制御入力に供給される出力が電源電圧になる。
【００７０】
第２信号選択段６は、電源電圧が入力されると、前述のように、ダイオード６2 、６3 がオフ、ダイオード６4 がオンになり、第２信号選択段６の入力に供給されたＦＭ信号は、オフしたダイオード６1 、６2 により阻止され、出力に伝達されない。
【００７１】
このとき、第１信号選択段５は、前述のように、ダイオード５1 、５2 がオン、ダイオード５3 がオフになり、第１信号選択段５の入力に供給されたテレビジョン信号及びＦＭ信号は、オンしたダイオード５1 、５2 を通して出力に伝達され、次続のＦＭトラップ７に供給される。
【００７２】
ＦＭトラップ７は、制御入力に電源電圧が入力されるので、ＦＭ周波数帯域の信号をトラップするＦＭトラップが非動作になる。中間周波帯域切替段１２は、制御入力に電源電圧が入力されるので、中間周波帯域をＦＭ信号の中間周波帯域である１．２ＭＨｚに切替える。利得設定段１４は、制御入力に電源電圧が入力されるので、利得設定段１４の信号利得を小さく設定する。
【００７３】
また、この第３モード時は、前述のようにＦＭ信号の受信電界強度が比較的小さく、例えば受信電界強度が９０ｄＢに満たないＦＭ信号の選択出力時であるので、自動利得制御電圧供給端子１７に最大利得設定電圧、例えば４Ｖが供給され、それにより高周波増幅段８の利得が最大利得、例えば０ｄＢに制御される。
【００７４】
第１信号選択段５から出力されたテレビジョン信号及びＦＭ信号は、ＦＭトラップ７に供給されると、ＦＭトラップ７が非動作であるので、ＦＭ信号はそのまま伝送され、テレビジョン信号だけが減衰される。次いで、ＦＭ信号は、高周波増幅段８で最大利得で増幅され、高周波同調段９で所要周波数信号が選択され、周波数ミキサ段１０で局部発振器１１が出力する局部発振信号と混合されて中間周波信号に変換される。周波数ミキサ段１０の混合出力は、中間周波帯域切替段１２で１．２ＭＨｚの中間周波信号が選択され、得られた中間周波信号は、中間周波増幅段１３で所定レベルに増幅され、利得設定段１４で小さな信号利得で増幅され、中間周波信号出力端子１６に供給される。
【００７５】
このように、第２の実施の形態によれば、バンドデータ供給端子１８1 、１８2 に、コンビネーションチューナの動作を第１乃至第３モードのいずれかに設定するデータ信号を供給することにより、第１モード時にはテレビジョン信号の選択出力、第２モード時には低感度アンテナを用い、高周波増幅段８の利得を若干低下させた高い受信電界強度のＦＭ信号の選択出力、第３モード時には高感度アンテナを用いた低い受信電界強度のＦＭ信号の選択出力を行うことができるので、ＦＭ信号の受信電界強度が低い場合であっても、受信したＦＭ信号レベルが極端に小さくならず、常時、最良の状態でＦＭ信号を再生することができる。
【００７６】
なお、前記第１及び第２の実施の形態においては、それぞれ切替回路１５、２０に３個のトランジスタ１５1 乃至１５3 、２０1 乃至２０3 を用いた回路を例を挙げて説明したが、本発明による切替回路は、これらの回路例に限られるものではなく、切替回路１５、２０と同等の機能を達成するものであれば、他の回路構成のものであってもよいことは勿論である。
【００７７】
【発明の効果】
以上のように、請求項１乃至２に記載の発明によれば、切替回路を３個のトランジスタによって構成し、バンドデータの３つのモード状態に応じて、外部接続アンテナによって受信した第１信号受信部からのテレビジョン信号の選択出力、内部アンテナによって受信した第２信号受信部からのＦＭ信号の選択出力、外部接続アンテナによって受信した第１信号受信部からのＦＭ信号の選択出力のいずれかを選択するように、３個のトランジスタを選択的にオンオフさせるようにしているので、受信すべきＦＭ信号の電界強度が弱いとき、高感度アンテナである外部接続アンテナによってＦＭ信号を受信することができ、受信したＦＭ信号レベルが極端に小さくなることがなく、常時、良好な状態でＦＭ信号を再生することができるという効果がある。
【００７８】
また、請求項３乃至４に記載の発明によれば、切替回路を３個のトランジスタによって構成し、バンドデータの３つのモード状態に応じて、外部接続アンテナによって受信した第１信号受信部からのテレビジョン信号の選択出力、内部アンテナによって受信した第２信号受信部からのＦＭ信号の選択出力、外部接続アンテナによって受信した第１信号受信部からのＦＭ信号の選択出力のいずれかを選択するとともに、内部アンテナによって受信した第２信号受信部からのＦＭ信号の選択出力時に高周波選択増幅部に供給される自動利得制御電圧を減衰させ、高周波選択増幅部の利得を若干低下させるように３個のトランジスタを選択的にオンオフするようにしたので、受信すべきＦＭ信号の電界強度が弱いとき、高感度アンテナである外部接続アンテナによってＦＭ信号を受信することができ、受信したＦＭ信号レベルが極端に小さくなることがなく、常時、最良な状態でＦＭ信号を再生することができるという効果がある。
【図面の簡単な説明】
【図１】本発明によるコンビネーションチューナの第１の実施の形態を示すもので、その要部構成を一部ブロック図で表した回路図である。
【図２】本発明によるコンビネーションチューナの第２の実施の形態を示すもので、その要部構成を一部ブロック図で表した回路図である。
【図３】既知のコンビネーションチューナの一例を示すもので、その要部構成を一部ブロック図で表した回路図である。
【符号の説明】
１  外部接続アンテナ
２  内部アンテナ
３  ローパスフィルタ（ＬＰＦ）
４  バンドパスフィルタ（ＢＰＦ）
５  テレビジョン信号選択段
６  ＦＭ信号選択段
７  ＦＭトラップ（ＦＭ  ＴＲ）
８  高周波増幅段（ＲＦ  ＡＭＰ）
９  高周波同調段
１０  周波数ミキサ段（ＭＩＸ）
１１  局部発振器（Ｌ  ＯＳＣ）
１２  中間周波帯域切替段（ＩＦ  ＳＷ）
１３  中間周波増幅段（ＩＦ  ＡＭＰ）
１４  利得設定段
１５、２０  切替回路
１５1 〜１５3 、２０1 〜２０3   トランジスタ
１６  中間周波信号出力端子
１７  自動利得制御電圧供給端子
１８1 、１８2   バンドデータ供給端子
１９  電源端子
【図１】
0003898447.tif 000002
【図２】
0003898447.tif 000003
【図３】
0003898447.tif 000004